(57)【要約】【課題】底板が円弧状の曲面に形成された軒樋の底板端部の形状に合った形状で装着が可能であり、施工性に優れるとともに、雨水が集水器に流れ込みやすい軒樋用ストッパー連結体を提供する。【解決手段】集水器９に接続した軒樋８の端部が集水器から脱落するのを防止するための軒樋用ストッパー１０が複数連結された軒樋用ストッパー連結体１であって、軒樋用ストッパーは、軒樋の底板８１端部の上面を上方から押さえる上片２と、底板端部の下面を下方から押さえる下片３と、上片と下片の間隔により軒樋の端部の挿入部５を形成して、上片と下片とを接続する接続部４と、その接続部から下方に垂設されたストッパー部６を備え、下片は、接続部から先端部に向かって幅が狭まる先細形状に形成されており、軒樋用ストッパーの上片が連結部２１により横方向に連結され、この連結部は、折り曲げと破断が選択可能に形成されている。【選択図】図１
2017210735.tif 000002
【特許請求の範囲】
【請求項１】
集水器に接続した軒樋の端部が前記集水器から脱落するのを防止するための軒樋用ストッパーが複数連結された軒樋用ストッパー連結体であって、
前記軒樋用ストッパーは、前記軒樋の底板端部の上面を上方から押さえる上片と、
前記底板端部の下面を下方から押さえる下片と、
前記上片と前記下片の間隔により前記軒樋の端部の挿入部を形成して、前記上片と前記下片とを接続する接続部と、
その接続部から下方に垂設されたストッパー部を備え、前記下片は、前記接続部から先端部に向かって幅が狭まる先細形状に形成されており、
前記軒樋用ストッパーの前記上片が連結部により横方向に連結され、
この連結部は、折り曲げと破断が選択可能に形成されていることを特徴とする軒樋用ストッパー連結体。
【請求項２】
前記連結部に切込み溝が形成されていることを特徴とする請求項１に記載の軒樋用ストッパー連結体
【請求項３】
前記上片が、前記接続部から先端部に向かって幅が狭まる先細形状に形成されていることを特徴とする請求項１又は２に記載の軒樋用ストッパー連結体。
【請求項４】
前記上片の前記接続部から前記挿入部とは反対側に舌片が延設され、この舌片が、前記接続部から先端部に向かって幅が狭まる先細形状に形成されていることを特徴とする請求項１から３のいずれか一項に記載の軒樋用ストッパー連結体。
【発明の詳細な説明】
【技術分野】
【０００１】
本発明は、軒樋用ストッパー連結体に関する。
【背景技術】
【０００２】
降雨により建物の屋根にかかる雨水は、屋根から軒樋に流れ落ち、集水器に集められて竪樋に排水される。通常、集水器は建物の側壁部に軒樋の差込口を有し、この差込口に軒樋の端部が挿入、接続されて雨水が集水されるようにしている。
【０００３】
しかしながら、集水器に軒樋の端部を挿入するだけの状態では、軒樋の寒冷時の収縮や風雨等による軒樋の振動により軒樋が脱落したり、軒樋の接続部から漏水が生じる場合があった。
【０００４】
そのため、近年では、軒樋の脱落を防止するとともに、雨水の漏洩を防止するための軒樋の底板端部に装着する軒樋用ストッパーが提案されている。
【０００５】
具体的には、例えば、軒樋の底板を嵌着するための連結片と抜け防止片を有し、その連結片が、横長で矩形形状の上片と下片を備える軒樋用ストッパーが提示されている（例えば、特許文献１を参照）。
【０００６】
この提案の軒樋用ストッパーでは、軒樋の底板を上片と下片との隙間に嵌着して、上方から抜け防止片を嵌合させることによって軒樋の脱落の防止を図っている。
【０００７】
そして、このような構成とすることにより、一種類の軒樋用ストッパーで各種型式の集水器に適用することができ、量産効果によるコスト低減が図れるとともに、軒樋の脱落及び雨水の漏洩を防止することができるとしている。
【０００８】
また、他には、従来公知の軒樋用ストッパーを連結板により複数連結した軒樋用ストッパー連結体が提案されている（例えば、特許文献２を参照）。
【０００９】
この提案の軒樋用ストッパー連結体によれば、さまざまな幅を持つ軒樋に応じて連結板を切断することにより適切な長さで装着できるとしている。
【先行技術文献】
【特許文献】
【００１０】
【特許文献１】特開平８−３０２９３１号公報
【特許文献２】特開平９−３０２８６１号公報
【発明の概要】
【発明が解決しようとする課題】
【００１１】
一方、近年では、建物のデザインや屋根の形状等に合わせて、設置する軒樋もデザイン性に優れたものが用いられるようになっている。具体的には、例えば、底板が円弧状の曲面に形成された軒樋がある。
【００１２】
上記特許文献１に記載の軒樋用ストッパーや特許文献２に記載の軒樋用ストッパー連結体は、軒樋の底板を挟み込む上片及び下片が横長で矩形状であるため、従来の底板が平面形状の軒樋には容易に装着が可能である。
【００１３】
しかしながら、これらを底面板に円弧状の曲面を有する軒樋に対して装着する場合、上片と下片の間の間隔が直線的であるため、装着が困難であったり装着できない場合があった。特に、上記特許文献２に記載の軒樋用ストッパー連結体においては、軒樋用ストッパーが直線的に連結されているため、より装着が困難であった。
【００１４】
また、連結片が上片と下片のみからなる構造であるため、軒樋の底板端部に接着剤を用いて装着する場合には接着剤により手指を汚すことが懸念され、施工性が悪いという問題があった。
【００１５】
本発明は、上記従来の問題点に鑑みてなされたものであり、底板が円弧状の曲面に形成された軒樋の底板端部の形状に合った形状で装着が可能であり、施工性に優れるとともに、雨水が集水器に流れ込みやすい軒樋用ストッパー連結体を提供することを課題とする。
【課題を解決するための手段】
【００１６】
本発明は、上記の課題を解決するために、以下のことを特徴としている。
【００１７】
すなわち、本発明の軒樋用ストッパー連結体は、集水器に接続した軒樋の端部が前記集水器から脱落するのを防止するための軒樋用ストッパーが複数連結された軒樋用ストッパー連結体であって、前記軒樋用ストッパーは、前記軒樋の底板端部の上面を上方から押さえる上片と、前記底板端部の下面を下方から押さえる下片と、前記上片と前記下片の間隔により前記軒樋の端部の挿入部を形成して、前記上片と前記下片とを接続する接続部と、その接続部から下方に垂設されたストッパー部を備え、前記下片は、前記接続部から先端部に向かって幅が狭まる先細形状に形成されており、前記軒樋用ストッパーの前記上辺が連結部により横方向に連結され、この連結部は、折り曲げと破断が選択可能に形成されていることを特徴とする。
【発明の効果】
【００１８】
本発明によれば、底板が円弧状の曲面に形成された軒樋の底板端部の形状に合った形状で装着が可能であり、施工性に優れるとともに、雨水が集水器に流れ込みやすい軒樋用ストッパー連結体を提供することが可能となる。
【図面の簡単な説明】
【００１９】
【図１】集水器に軒樋を取り付けて本実施形態の軒樋用ストッパー連結体を装着した状態を示す概略斜視図である。
【図２】本発明の軒樋用ストッパー連結体の一実施形態の概略斜視図である。
【図３】本発明の軒樋用ストッパー連結体の一実施形態の概略断面図である。
【図４】本発明の軒樋用ストッパー連結体の一実施形態の概略底面図である。
【図５】本発明の軒樋用ストッパー連結体の一実施形態の概略正面図である。
【図６】底板が円弧状の曲面に形成された軒樋の底板端部に軒樋用ストッパー連結体を装着した状態を示す概略斜視図である。
【図７】集水器に軒樋を取り付けて本発明の軒樋用ストッパー連結体を装着した状態を示す概略断面図である。
【発明を実施するための形態】
【００２０】
本発明の軒樋用ストッパー連結体について図面に基づいて以下に詳述する。
【００２１】
図１は、集水器９に軒樋８を取り付けて本発明の軒樋用ストッパー連結体１を装着した状態を示す概略斜視図であり、図２は、本発明の軒樋用ストッパー連結体１の一実施形態の概略斜視図、図３は概略断面図、図４は概略底面図、図５は概略正面図である。
【００２２】
また、図６は、底板が円弧状の曲面に形成された軒樋の底板端部に軒樋用ストッパー連結体１を装着した状態を示す概略斜視図であり、図７は、集水器に軒樋を取り付けて本発明の軒樋用ストッパー連結体を装着した状態を示す概略断面図である。
【００２３】
本発明の軒樋用ストッパー連結体１は、図１、図７に示すように、集水器９に接続した軒樋８の端部が集水器９から脱落するのを防止するための軒樋用ストッパー１０を複数連結したものである。
【００２４】
軒樋用ストッパー１０は、軒樋８の底板８１端部の上面を上方から押さえる上片２と、底板８１端部の下面を下方から押さえる下片３と、上片２と下片３の間隔により軒樋８の端部の挿入部５を形成して、上片２と下片３とを接続する接続部４を備えている。
【００２５】
また、その接続部４から下方に垂設されたストッパー部６を備えており、下片３は、接続部４から先端部に向かって幅が狭まる先細形状に形成されている。
【００２６】
そして、軒樋用ストッパー１０の上片２が連結部２１により横方向に連結され、連結部２１は、折り曲げと破断が選択可能に形成されている。
【００２７】
即ち、軒樋用ストッパー連結体１は、集水器９に軒樋８を接続した状態で、横方向に複数連結された軒樋用ストッパー１０の上片２と下片３で軒樋８の端部を厚み方向に挟み込み、保持させることにより、集水器９からの軒樋８の脱落を防止するものである。
【００２８】
まず、本発明の軒樋用ストッパー連結体１を構成する軒樋用ストッパー１０について説明する。軒樋用ストッパー１０は、図２〜図５、図７に示すように、上片２と下片３が間隔を置いて対向して配設されており、各々の端部は接続部４により接続されている。そして、対向する上片２と下片３の間の空間は、軒樋８の端部を挿入する挿入部５となっている。挿入部５の間隔は、装着する軒樋８の底板８１の厚みに応じて適宜決定することができる。
【００２９】
接続部４の下部には、下方に向けてストッパー部６が垂設されている。ストッパー部６の長さは特に限定されるものではないが、通常、軒樋８を接続する集水器９の深さ等に応じて適宜決定することができる。ストッパー部６を設けることにより、集水器９に軒樋８を接続した状態から軒樋８がずれた場合でも、図７に示すように、ストッパー部６が集水器９の内側面に引掛かり、軒樋８の脱落を防止することができる。
【００３０】
軒樋用ストッパー１０の下片３は、接続部４、３ｂから先端部３ａに向かって幅が狭まる先細形状に形成されている。このような先細形状としては、例えば、図４に示す実施形態のように、下方から見て接続部４、３ｂを底辺とする二等辺三角形の形状を例示することができる。
【００３１】
下片３の先端部３ａを先細形状とすることにより、軒樋８の底板８１端部に、軒樋用ストッパー１０が連結された軒樋用ストッパー連結体１を装着しやすくすることができる。例えば、底板８１が長手方向に対して直角方向にアールが付いたデザインの軒樋８に、従来の軒樋用ストッパー連結体等を装着する場合、下片３に相当する部材が矩形の平板であるため、装着が困難であったり、装着することができない場合があった。
【００３２】
これに対して、本実施形態の軒樋用ストッパー連結体１では、軒樋用ストッパー１０の下片３の二等辺三角形の頂点に当たる先端部３ａの先細部分が、最初に底板８１の端部の底面と噛合う。そのため、差し込み始めは底板８１が円弧状の曲面であっても殆どその影響を受けず、そのまま押し付けることにより容易に装着が可能となる。即ち、図６に示すように、底板８１が円弧状の曲面に形成されている軒樋８に対しても、本実施形態の軒樋用ストッパー連結体１を容易に装着することができる。
【００３３】
なお、装着する軒樋８の底板８１が円弧状の曲面に形成されている場合、図４における下片３の二等辺三角形の底辺となる接続部３ｂの幅の設定は、底板８１の曲面の曲率半径に応じた曲面としてもよい。例えば、曲率半径が大きくアールが緩やかな場合には頂角を大きくして底辺の寸法を大きくし、逆に曲率半径が小さくアールがきつい場合には頂角を小さくして底辺の寸法を小さく設定することができる。
【００３４】
軒樋用ストッパー１０の上片２、下片３、接続部４及びストッパー部６の各構成部材は、各々を別個に成形して接続してもよいが、全てを一体に成形してもよい。
【００３５】
また、各々の構成部材の材質は、経年の使用によって著しく劣化しないものであれば特に限定されるものではなく、例えば、硬質の樹脂やゴム、ステンレスやアルミニウム等の金属、それらの複合体等によって形成されたものとすることができる。また、底板８１形状が円弧状の曲面である軒樋８に装着することを考慮した場合、曲面に沿いやすいように可撓性を有する樹脂やゴム等の材質により形成することが好ましい。
【００３６】
本発明の軒樋用ストッパー連結体１は、軒樋８の底板８１端部に装着した状態において、軒樋用ストッパー１０の上片２に形成された連結部２１により、複数の軒樋用ストッパー１０が横方向に直線的に並ぶように連結されている。
【００３７】
連結部２１は、隣り合う軒樋用ストッパー１０の上片２の側部を繋ぐように、折り曲げと破断が選択可能に設けられている。連結部２１の材質は、ペンチやニッパー等により簡単に切断でき、また、ある程度変形可能なものが好ましい。これらのものとしては、例えば、プラスチック、ゴム、アルミ板等の金属、また、これらの複合体を挙げることができる。連結部２１を切断可能な材質で形成することにより、軒樋８の底板８１端部の横幅の長さや形状に応じた軒樋用ストッパー１０の個数で切断して適正な長さとすることができる。また、変形可能な材質で形成することにより、底板８１が円弧状の曲面に形成されている軒樋８に対して、曲面に沿わせた形に変形させて装着することが可能となる。
【００３８】
また、連結部２１は、上片２と一体に成形してもよいし、別体として接続してもよい。連結部２１により連結させる軒樋用ストッパー１０の個数は複数であれば特に制限はなく、軒樋や軒樋用ストッパー１０の大きさ、連結部２１の長さ等に応じて適宜決定することができる。
【００３９】
本実施形態の軒樋用ストッパー連結体１においては、連結部２１に切込み溝２２が形成されていることが好ましい。図４、図５に示す実施形態の軒樋用ストッパー連結体１では、連結部２１の下片３側の面に、軒樋８の底板８１端部に装着した状態で軒樋８の長手方向と平行方向にＶ字の切込み溝２２が形成されている。連結部２１に切込み溝２２を形成することにより、連結部２１の切断を容易にするとともに、軒樋の底板の円弧状の曲面に沿った形に容易に折り曲げて変形させることが可能となる。
【００４０】
また、本実施形態の軒樋用ストッパー連結体１の軒樋用ストッパー１０においては、上片２が接続部４、２ｂから先端部２ａに向かって幅が狭まる先細形状に形成されていることが好ましい。具体的には、図１、図２、図４、図６に示すように、上方から見て接続部４、２ｂを底辺とする二等辺三角形の形状とすることができる。
【００４１】
二等辺三角形の頂角、高さ、底辺の設定は、上記下片３の二等辺三角形における頂角、高さ、底辺の設定と同様の理由により、装着する軒樋８の形状に応じて適宜決定することができる。
【００４２】
上片２を下片３と同様に先端部２ａを先細形状とすることにより、軒樋８の底板８１端部に対する軒樋用ストッパー連結体１の装着をさらに容易に行うことができる。
【００４３】
また、上片２の接続部４から挿入部５とは反対側に舌片７を延設することが好ましい。舌片７は、図１〜図４、図６、図７に示すように、接続部４から下流側に向かって上片２と一体に形成されている。舌片７の形状や厚みは特に限定されるものではないが、接続部４、７ｂから先端部７ａに向かって幅が狭まる先細形状に形成されていることが好ましい。
【００４４】
具体的には、例えば、図１、図２、図４、図６に示すように、上方から見て接続部４を底辺とする二等辺三角形の形状とすることができる。舌片７を二等辺三角形の形状として接続部４、７ｂの下流側に設けることにより、軒樋用ストッパー連結体１の上を流れてくる雨水を舌片７の先端部７ａから集水器９に効率よく導入させることが可能となる。具体的には、図１、図６に示すように軒樋８の底板８１端部に、特定の長さの軒樋用ストッパー連結体１を装着することにより、複数の舌片７が雨水の流れを細かく分散させることができ、効率的に雨水を集水器９に導入させることができる。これは、本実施形態の軒樋用ストッパー連結体１の複数の舌片７が等間隔で櫛状の形状となっているためである。
【００４５】
また、軒樋用ストッパー連結体１の装着施工の際には、何れかの舌片７を手指で持って軒樋８の底板８１端部に装着することができるため、容易に装着施工を行うことができる。特に、挿入部５に接着剤を塗布して外れないように軒樋用ストッパー連結体１を装着する場合には、手指に接着剤が付く虞がなくなるため、より装着施工が容易となる。
【００４６】
上記の構造の本実施形態の軒樋用ストッパー連結体１の装着手順は、まず、図１に示すように、集水器９の側壁に設けられた軒樋８の差込口９１に、軒樋８の上端部を挿入する。
【００４７】
次に、集水器９の排水口を臨むように挿入された軒樋８の底板８１端部の幅の長さを確認して、これに合う長さで軒樋用ストッパー連結体１の連結部２１を切断し、装着する軒樋用ストッパー連結体１を用意する。
【００４８】
次に、軒樋用ストッパー連結体１における軒樋用ストッパー１０の舌片７を持って、挿入部５に底板８１端部を嵌合させて装着する。なお、挿入部５に接着剤を塗布して外れないように装着することが好ましい。
【００４９】
また、装着する軒樋８の底板８１が円弧状の曲面に形成されている場合には、曲面に合った形に連結部２１の切込み溝２２を折り曲げて変形させる。
【００５０】
このように、本実施形態の軒樋用ストッパー連結体１を軒樋８の底板８１端部に装着することにより、軒樋８の端部が集水器９から脱落することを確実に防止することができる。
【００５１】
また、本発明の軒樋用ストッパー連結体１によれば、底板８１が円弧状の曲面に形成された軒樋８の底板８１端部に対しても装着することが可能であり、施工性に優れるとともに、雨水が集水器９に流れ込みやすくすることができる。
【００５２】
以上、本発明の軒樋用ストッパー連結体１を一実施形態に基づいて説明したが、本発明は上記の実施形態に限定されるものではなく、その要旨を逸脱しない範囲内において種々の変形、変更が可能である。
【００５３】
例えば、上記実施形態では、連結部２１の下片３側の面に切込み溝２２を形成したが、連結部２１の上面側に切込み溝２２を形成するようにしてもよい。
【００５４】
また、切込み溝２２を１本のみ形成しているが、複数本を平行に形成してもよい。これにより、軒樋８の底板８１が円弧状の曲面に形成されている場合において、曲率半径が小さくアールがきつい場合にも曲面に合った形状に変形させやすくすることができる。
【００５５】
また、軒樋用ストッパー１０において、上片２及び上片２から延設された舌片７の各々の二等辺三角形の底辺を同一の寸法として、全体で菱形の形状としたが、装着する軒樋８の形状等に応じて各々の底辺の寸法の設定を異なったものとすることができる。
【００５６】
これにより、装着の容易性と、集水器９への雨水の流れ込み具合を其々最適な条件に設定することができる。
【符号の説明】
【００５７】
１  軒樋用ストッパー連結体
１０  軒樋用ストッパー
２  上片
２ａ  上片の先端部
２ｂ  上片の接続部
２１  連結部
２２  切込み溝
３  下片
３ａ  下片の先端部
３ｂ  下片の接続部
４  接続部
５  挿入部
６  ストッパー部
７  舌片
７ａ  舌片の先端部
７ｂ  舌片の接続部
８  軒樋
８１  底板
９  集水器
【図１】
2017210735.tif 000003
【図２】
2017210735.tif 000004
【図３】
2017210735.tif 000005
【図４】
2017210735.tif 000006
【図５】
2017210735.tif 000007
【図６】
2017210735.tif 000008
【図７】
2017210735.tif 000009